【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局から、２次キャリア用のダウンリンク（ＤＬ）許可と前記２次キャリア用のアップリンク（ＵＬ）許可とを受信することと、ここにおいて、前記ＤＬ許可が前記２次キャリア上で受信され、前記ＵＬ許可が１次キャリア上で受信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して受信される、
前記２次キャリア上で前記ＤＬ許可を受信した後に前記２次キャリア上でＤＬデータを受信することと、
前記１次キャリア上で前記ＵＬ許可を受信した後に前記２次キャリア上でＵＬデータを送信することと
を備え、前記１次キャリアは、前記２次キャリアと異なる、方法。
【請求項２】
前記１次キャリアが認可キャリアであり、前記２次キャリアが無認可キャリアである、請求項１に記載の方法。
【請求項３】
各キャリア上の各サブフレーム上で監視するためにそれぞれのダウンリンク制御情報（ＤＣＩ）メッセージのＤＣＩフォーマットまたはＤＣＩフォーマットサイズのセットのうちの少なくとも１つについての情報を受信することと、
前記情報に基づいて前記ＵＬ許可または前記ＤＬ許可のうちの少なくとも１つを監視することと
をさらに備える、請求項１に記載の方法。
【請求項４】
前記それぞれのＤＣＩメッセージの前記ＤＣＩフォーマットサイズの各々が送信モードに固有である、請求項３に記載の方法。
【請求項５】
サブフレームごとに実施するためのブラインド復号の数に関する情報を受信することと、
前記ＤＬ許可また前記ＵＬ許可のうちの少なくとも１つを検出するためにブラインド復号の前記数に基づいてブラインド復号することと
をさらに備える、請求項１に記載の方法。
【請求項６】
前記１次キャリア上で受信された前記ＵＬ許可が複数の無認可キャリアに対応し、
前記ＵＬデータを送信するために、前記２次キャリアとして前記複数の無認可キャリアの中からキャリアを選択すること
をさらに備える、請求項１に記載の方法。
【請求項７】
前記複数の無認可キャリアの中から前記キャリアを前記選択することが、
前記複数の無認可キャリアに関連付けられたチャネルのチャネル可用性を決定することと、ここにおいて、チャネルのエネルギーがエネルギーしきい値よりも低いとき、前記チャネルが利用可能である、
前記チャネル可用性またはキャリア優先度のうちの少なくとも１つに基づいて、前記ＵＬデータの送信用に前記チャネルに関連付けられた前記キャリアを選択することと
を備える、請求項６に記載の方法。
【請求項８】
前記ＵＬ許可を受信することを監視するためにリソースブロックの数を調整する、サービング基地局からの構成情報を受信することと、
前記ＵＬ許可を受信することを監視するためにリソースブロックの前記数を調整する、前記受信された構成情報に基づいて前記ＵＬ許可を監視することと
をさらに備える、請求項１に記載の方法。
【請求項９】
基地局によるワイヤレス通信のための方法であって、
２次キャリア用のダウンリンク（ＤＬ）許可と前記２次キャリア用のアップリンク（ＵＬ）許可とを送ることと、ここにおいて、前記ＤＬ許可が前記２次キャリア上で送信され、前記ＵＬ許可が１次キャリア上で送信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して、前記基地局から送信される、
前記２次キャリア上で前記ＤＬ許可を送った後に前記２次キャリア上でＤＬデータを送ることと、
前記１次キャリア上で前記ＵＬ許可を送った後に前記２次キャリア上でＵＬデータを受信することと
を備え、前記１次キャリアは、前記２次キャリアと異なる、方法。
【請求項１０】
前記１次キャリアが認可キャリアであり、前記２次キャリアが無認可キャリアである、請求項９に記載の方法。
【請求項１１】
各キャリア上の各サブフレーム上で監視するためにダウンリンク制御情報（ＤＣＩ）フォーマットまたはＤＣＩフォーマットサイズのセットについての情報を送ること
をさらに備える、請求項９に記載の方法。
【請求項１２】
前記ＤＣＩフォーマットサイズの各々が送信モードに固有である、請求項１１に記載の方法。
【請求項１３】
前記ＤＬ許可または前記ＵＬ許可のうちの少なくとも１つを検出するために、サブフレームごとにユーザ機器（ＵＥ）において実施されるべきブラインド復号の最大数を示す構成情報を送ること
をさらに備える、請求項９に記載の方法。
【請求項１４】
時分割複信（ＴＤＤ）ＵＬ／ＤＬサブフレーム構成に基づいて、前記構成を選択することをさらに備える、請求項９に記載の方法。
【請求項１５】
前記構成は、前記ＴＤＤ  ＵＬ／ＤＬサブフレーム構成がＤＬサブフレームよりも多くのＵＬサブフレームを含むときに使用される第１の構成に対応し、前記方法は、
前記ＴＤＤ  ＵＬ／ＤＬサブフレーム構成がＵＬサブフレームよりも多くのＤＬサブフレームを含むとき、前記２次キャリア上でＤＬ許可を送ることと、前記２次キャリア上でＵＬ許可を送ることとを含む第２の構成を使用することをさらに備える、
請求項１４に記載の方法。
【請求項１６】
スケジューリングモードが、前記１次キャリアと前記２次キャリアとを含む利用可能なキャリアの各々について独立して構成される、請求項９に記載の方法。
【請求項１７】
前記スケジューリングモードが、前記利用可能なキャリアの各々における干渉またはチャネル可用性のうちの少なくとも１つに基づいて構成される、請求項１６に記載の方法。
【請求項１８】
スケジューリングモードが、前記１次キャリアと前記２次キャリアとを含む利用可能なキャリアの各々について独立して構成され、前記ＵＬ許可および前記ＤＬ許可について独立して構成される、請求項９に記載の方法。
【請求項１９】
前記ＵＬデータを受信するための前記２次キャリアが、複数の無認可キャリアの中から選択されたキャリアであり、
前記１次キャリア上で送られた前記ＵＬ許可が、前記複数の無認可キャリアのために指定される、
請求項９に記載の方法。
【請求項２０】
前記基地局が、前記選択されたキャリアをブラインド検出するように構成される、請求項１９に記載の方法。
【請求項２１】
前記ＵＬ許可をＵＥが監視するためのリソースの数を調整する構成情報を送ること
をさらに備える、請求項９に記載の方法。
【請求項２２】
物理ダウンリンク制御チャネル（ＰＤＣＣＨ）内で監視するためのアグリゲーションレベルまたは候補の数を構成することと、
拡張ＰＤＣＣＨ（ＥＰＤＣＣＨ）のセットの数、ＥＰＤＣＣＨのセットごとのリソースブロック（ＲＢ）の数、ＥＰＤＣＣＨのタイプ、またはＥＰＤＣＣＨ監視用のアグリゲーションレベルもしくは候補の数のうちの少なくとも１つを構成することと
をさらに備える、請求項２１に記載の方法。
【請求項２３】
監視するためのリソースの前記数が、時分割複信（ＴＤＤ）サブフレーム構成またはアクティブな無認可キャリアの数のうちの少なくとも１つに依存する、請求項２１に記載の方法。
【請求項２４】
ワイヤレス通信のためのユーザ機器（ＵＥ）であって、
基地局から、２次キャリア用のダウンリンク（ＤＬ）許可と前記２次キャリア用のアップリンク（ＵＬ）許可とを受信するための手段と、ここにおいて、前記ＤＬ許可が前記２次キャリア上で受信され、前記ＵＬ許可が１次キャリア上で受信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して受信される、
前記２次キャリア上で前記ＤＬ許可を受信した後に前記２次キャリア上でＤＬデータを受信するための手段と、
前記１次キャリア上で前記ＵＬ許可を受信した後に前記２次キャリア上でＵＬデータを送信するための手段と
を備え、前記１次キャリアは、前記２次キャリアと異なる、ユーザ機器（ＵＥ）。
【請求項２５】
前記１次キャリアが認可キャリアであり、前記２次キャリアが無認可キャリアである、請求項２４に記載のＵＥ。
【請求項２６】
各キャリア上の各サブフレーム上で監視するためにそれぞれのダウンリンク制御情報（ＤＣＩ）メッセージのＤＣＩフォーマットまたはＤＣＩフォーマットサイズのセットのうちの少なくとも１つについての情報を受信するための手段と、
前記情報に基づいて前記ＵＬ許可または前記ＤＬ許可のうちの少なくとも１つを監視するための手段と
をさらに備える、請求項２４に記載のＵＥ。
【請求項２７】
前記それぞれのＤＣＩメッセージの前記ＤＣＩフォーマットサイズの各々が送信モードに固有である、請求項２６に記載のＵＥ。
【請求項２８】
サブフレームごとに実施するためのブラインド復号の数に関する情報を受信するための手段と、
前記ＤＬ許可また前記ＵＬ許可のうちの少なくとも１つを検出するためにブラインド復号の前記数に基づいてブラインド復号するための手段と
をさらに備える、請求項２４に記載のＵＥ。
【請求項２９】
前記１次キャリア上で受信された前記ＵＬ許可が複数の無認可キャリアに対応し、
前記ＵＬデータを送信するために、前記２次キャリアとして前記複数の無認可キャリアの中からキャリアを選択するための手段
をさらに備える、請求項２４に記載のＵＥ。
【請求項３０】
前記複数の無認可キャリアの中から前記キャリアを選択するための前記手段が、
前記複数の無認可キャリアに関連付けられたチャネルのチャネル可用性を決定することと、ここにおいて、チャネルのエネルギーがエネルギーしきい値よりも低いとき、前記チャネルが利用可能である、
前記チャネル可用性またはキャリア優先度のうちの少なくとも１つに基づいて、前記ＵＬデータの送信用に前記チャネルに関連付けられた前記キャリアを選択することと
を行うように構成される、請求項２９に記載のＵＥ。
【請求項３１】
前記ＵＬ許可を受信することを監視するためにリソースブロックの数を調整する、サービング基地局からの構成情報を受信するための手段と、
前記ＵＬ許可を受信することを監視するためにリソースブロックの前記数を調整する、前記受信された構成情報に基づいて前記ＵＬ許可を監視するための手段と
をさらに備える、請求項２４に記載のＵＥ。
【請求項３２】
ワイヤレス通信のための基地局であって、
２次キャリア用のダウンリンク（ＤＬ）許可と前記２次キャリア用のアップリンク（ＵＬ）許可とを送るための手段と、ここにおいて、前記ＤＬ許可が前記２次キャリア上で送信され、前記ＵＬ許可が１次キャリア上で送信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して、前記基地局から送信される、
前記２次キャリア上で前記ＤＬ許可を送った後に前記２次キャリア上でＤＬデータを送るための手段と、
前記１次キャリア上で前記ＵＬ許可を送った後に前記２次キャリア上でＵＬデータを受信するための手段と
を備え、前記１次キャリアは、前記２次キャリアと異なる、基地局。
【請求項３３】
前記１次キャリアが認可キャリアであり、前記２次キャリアが無認可キャリアである、請求項３２に記載の基地局。
【請求項３４】
各キャリア上の各サブフレーム上で監視するためにダウンリンク制御情報（ＤＣＩ）フォーマットまたはＤＣＩフォーマットサイズのセットについての情報を送るための手段をさらに備える、請求項３２に記載の基地局。
【請求項３５】
前記ＤＣＩフォーマットサイズの各々が送信モードに固有である、請求項３４に記載の基地局。
【請求項３６】
前記ＤＬ許可または前記ＵＬ許可のうちの少なくとも１つを検出するために、サブフレームごとにユーザ機器（ＵＥ）において実施されるべきブラインド復号の最大数を示す構成情報を送るための手段
をさらに備える、請求項３２に記載の基地局。
【請求項３７】
時分割複信（ＴＤＤ）ＵＬ／ＤＬサブフレーム構成に基づいて、前記構成を選択するための手段をさらに備える、請求項３２に記載の基地局。
【請求項３８】
前記構成は、前記ＴＤＤ  ＵＬ／ＤＬサブフレーム構成がＵＬサブフレームよりも多くのＤＬサブフレームを含むときに使用される第１の構成に対応し、前記基地局は、
前記ＴＤＤ  ＵＬ／ＤＬサブフレーム構成がＤＬサブフレームよりも多くのＵＬサブフレームを含むとき、前記２次キャリア上でＤＬ許可を送ることと、前記２次キャリア上でＵＬ許可を送ることとを含む第２の構成を使用するための手段をさらに備える、
請求項３７に記載の基地局。
【請求項３９】
スケジューリングモードが、前記１次キャリアと前記２次キャリアとを含む利用可能なキャリアの各々について独立して構成される、請求項３２に記載の基地局。
【請求項４０】
前記スケジューリングモードが、前記利用可能なキャリアの各々における干渉またはチャネル可用性のうちの少なくとも１つに基づいて構成される、請求項３９に記載の基地局。
【請求項４１】
スケジューリングモードが、前記１次キャリアと前記２次キャリアとを含む利用可能なキャリアの各々について独立して構成され、前記ＵＬ許可および前記ＤＬ許可について独立して構成される、請求項３２に記載の基地局。
【請求項４２】
前記ＵＬデータを受信するための前記２次キャリアが、複数の無認可キャリアの中から選択されたキャリアであり、
前記１次キャリア上で送られた前記ＵＬ許可が、前記複数の無認可キャリアのために指定される、
請求項３２に記載の基地局。
【請求項４３】
前記基地局が、前記選択されたキャリアをブラインド検出するように構成される、請求項４２に記載の基地局。
【請求項４４】
前記ＵＬ許可をＵＥが監視するためのリソースの数を調整する構成情報を送るための手段
をさらに備える、請求項３２に記載の基地局。
【請求項４５】
物理ダウンリンク制御チャネル（ＰＤＣＣＨ）内で監視するためのアグリゲーションレベルまたは候補の数を構成するための手段と、
拡張ＰＤＣＣＨ（ＥＰＤＣＣＨ）のセットの数、ＥＰＤＣＣＨのセットごとのリソースブロック（ＲＢ）の数、ＥＰＤＣＣＨのタイプ、またはＥＰＤＣＣＨ監視用のアグリゲーションレベルもしくは候補の数のうちの少なくとも１つを構成するための手段と
をさらに備える、請求項４４に記載の基地局。
【請求項４６】
監視するためのリソースの前記数が、時分割複信（ＴＤＤ）サブフレーム構成またはアクティブな無認可キャリアの数のうちの少なくとも１つに依存する、請求項４４に記載の基地局。
【請求項４７】
ワイヤレス通信のためのユーザ機器（ＵＥ）であって、
メモリと、
前記メモリに結合され、
基地局から、２次キャリア用のダウンリンク（ＤＬ）許可と前記２次キャリア用のアップリンク（ＵＬ）許可とを受信することと、ここにおいて、前記ＤＬ許可が前記２次キャリア上で受信され、前記ＵＬ許可が１次キャリア上で受信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して受信される、
前記２次キャリア上で前記ＤＬ許可を受信した後に前記２次キャリア上でＤＬデータを受信することと、
前記１次キャリア上で前記ＵＬ許可を受信した後に前記２次キャリア上でＵＬデータを送信することと
を行うように構成された少なくとも１つのプロセッサと
を備え、前記１次キャリアは、前記２次キャリアと異なる、ユーザ機器（ＵＥ）。
【請求項４８】
前記１次キャリアが認可キャリアであり、前記２次キャリアが無認可キャリアである、請求項４７に記載のＵＥ。
【請求項４９】
前記少なくとも１つのプロセッサが、
各キャリア上の各サブフレーム上で監視するためにそれぞれのダウンリンク制御情報（ＤＣＩ）メッセージのＤＣＩフォーマットまたはＤＣＩフォーマットサイズのセットのうちの少なくとも１つについての情報を受信することと、
前記情報に基づいて前記ＵＬ許可または前記ＤＬ許可のうちの少なくとも１つを監視することと
を行うようにさらに構成される、請求項４７に記載のＵＥ。
【請求項５０】
前記それぞれのＤＣＩメッセージの前記ＤＣＩフォーマットサイズの各々が送信モードに固有である、請求項４９に記載のＵＥ。
【請求項５１】
前記少なくとも１つのプロセッサが、
サブフレームごとに実施するためのブラインド復号の数に関する情報を受信することと、
前記ＤＬ許可また前記ＵＬ許可のうちの少なくとも１つを検出するためにブラインド復号の前記数に基づいてブラインド復号することと
を行うようにさらに構成される、請求項４７に記載のＵＥ。
【請求項５２】
前記１次キャリア上で受信された前記ＵＬ許可が複数の無認可キャリアに対応し、前記少なくとも１つのプロセッサが、
前記ＵＬデータを送信するために、前記２次キャリアとして前記複数の無認可キャリアの中からキャリアを選択すること
を行うようにさらに構成される、請求項４７に記載のＵＥ。
【請求項５３】
前記複数の無認可キャリアの中から前記キャリアを選択するように構成された前記少なくとも１つのプロセッサが、
前記複数の無認可キャリアに関連付けられたチャネルのチャネル可用性を決定することと、ここにおいて、チャネルのエネルギーがエネルギーしきい値よりも低いとき、前記チャネルが利用可能である、
前記チャネル可用性またはキャリア優先度のうちの少なくとも１つに基づいて、前記ＵＬデータの送信用に前記チャネルに関連付けられた前記キャリアを選択することと
を行うように構成される、請求項５２に記載のＵＥ。
【請求項５４】
前記少なくとも１つのプロセッサが、
前記ＵＬ許可を受信することを監視するためにリソースブロックの数を調整する、サービング基地局からの構成情報を受信することと、
前記ＵＬ許可を受信することを監視するためにリソースブロックの前記数を調整する、前記受信された構成情報に基づいて前記ＵＬ許可を監視することと
を行うようにさらに構成される、請求項４７に記載のＵＥ。
【請求項５５】
ワイヤレス通信のための基地局であって、
メモリと、
前記メモリに結合され、
２次キャリア用のダウンリンク（ＤＬ）許可と前記２次キャリア用のアップリンク（ＵＬ）許可とを送ることと、ここにおいて、前記ＤＬ許可が前記２次キャリア上で送信され、前記ＵＬ許可が１次キャリア上で送信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して、前記基地局から送信される、
前記２次キャリア上で前記ＤＬ許可を送った後に前記２次キャリア上でＤＬデータを送ることと、
前記１次キャリア上で前記ＵＬ許可を送った後に前記２次キャリア上でＵＬデータを受信することと
を行うように構成された少なくとも１つのプロセッサと
を備え、前記１次キャリアは、前記２次キャリアと異なる、基地局。
【請求項５６】
前記１次キャリアが認可キャリアであり、前記２次キャリアが無認可キャリアである、請求項５５に記載の基地局。
【請求項５７】
前記少なくとも１つのプロセッサが、
各キャリア上の各サブフレーム上で監視するためにダウンリンク制御情報（ＤＣＩ）フォーマットまたはＤＣＩフォーマットサイズのセットについての情報を送ること
を行うようにさらに構成される、請求項５５に記載の基地局。
【請求項５８】
前記ＤＣＩフォーマットサイズの各々が送信モードに固有である、請求項５７に記載の基地局。
【請求項５９】
前記少なくとも１つのプロセッサが、
前記ＤＬ許可または前記ＵＬ許可のうちの少なくとも１つを検出するために、サブフレームごとにユーザ機器（ＵＥ）において実施されるべきブラインド復号の最大数を示す構成情報を送ること
を行うようにさらに構成される、請求項５５に記載の基地局。
【請求項６０】
前記少なくとも１つのプロセッサが、
時分割複信（ＴＤＤ）ＵＬ／ＤＬサブフレーム構成に基づいて、前記構成を選択すること
を行うようにさらに構成される、請求項５５に記載の基地局。
【請求項６１】
前記構成は、前記ＴＤＤ  ＵＬ／ＤＬサブフレーム構成がＤＬサブフレームよりも多くのＵＬサブフレームを含むときに使用される第１の構成に対応し、前記基地局は、
前記ＴＤＤ  ＵＬ／ＤＬサブフレーム構成がＵＬサブフレームよりも多くのＤＬサブフレームを含むとき、前記２次キャリア上でＤＬ許可を送ることと、前記２次キャリア上でＵＬ許可を送ることとを含む第２の構成を使用することを行うようにさらに構成される、
請求項６０に記載の基地局。
【請求項６２】
スケジューリングモードが、前記１次キャリアと前記２次キャリアとを含む利用可能なキャリアの各々について独立して構成される、請求項５５に記載の基地局。
【請求項６３】
前記スケジューリングモードが、前記利用可能なキャリアの各々における干渉またはチャネル可用性のうちの少なくとも１つに基づいて構成される、請求項６２に記載の基地局。
【請求項６４】
スケジューリングモードが、前記１次キャリアと前記２次キャリアとを含む利用可能なキャリアの各々について独立して構成され、前記ＵＬ許可および前記ＤＬ許可について独立して構成される、請求項５５に記載の基地局。
【請求項６５】
前記ＵＬデータを受信するための前記２次キャリアが、複数の無認可キャリアの中から選択されたキャリアであり、
前記１次キャリア上で送られた前記ＵＬ許可が、前記複数の無認可キャリアのために指定される、
請求項５５に記載の基地局。
【請求項６６】
前記基地局が、前記選択されたキャリアをブラインド検出するように構成される、請求項６５に記載の基地局。
【請求項６７】
前記少なくとも１つのプロセッサが、
前記ＵＬ許可をＵＥが監視するためのリソースの数を調整する構成情報を送ることを行うようにさらに構成される、請求項５５に記載の基地局。
【請求項６８】
前記少なくとも１つのプロセッサが、
物理ダウンリンク制御チャネル（ＰＤＣＣＨ）内で監視するためのアグリゲーションレベルまたは候補の数を構成することと、
拡張ＰＤＣＣＨ（ＥＰＤＣＣＨ）のセットの数、ＥＰＤＣＣＨのセットごとのリソースブロック（ＲＢ）の数、ＥＰＤＣＣＨのタイプ、またはＥＰＤＣＣＨ監視用のアグリゲーションレベルもしくは候補の数のうちの少なくとも１つを構成することと
を行うようにさらに構成される、請求項６７に記載の基地局。
【請求項６９】
監視するためのリソースの前記数が、時分割複信（ＴＤＤ）サブフレーム構成またはアクティブな無認可キャリアの数のうちの少なくとも１つに依存する、請求項６７に記載の基地局。
【請求項７０】
ユーザ機器（ＵＥ）によるワイヤレス通信のためのコンピュータ実行可能コードを記憶するコンピュータ可読媒体であって、
基地局から、２次キャリア用のダウンリンク（ＤＬ）許可と前記２次キャリア用のアップリンク（ＵＬ）許可とを受信することと、ここにおいて、前記ＤＬ許可が前記２次キャリア上で受信され、前記ＵＬ許可が１次キャリア上で受信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して受信される、
前記２次キャリア上で前記ＤＬ許可を受信した後に前記２次キャリア上でＤＬデータを受信することと、
前記１次キャリア上で前記ＵＬ許可を受信した後に前記２次キャリア上でＵＬデータを送信することと
を行うコードを備え、前記１次キャリアは、前記２次キャリアと異なる、コンピュータ可読媒体。
【請求項７１】
前記１次キャリアが認可キャリアであり、前記２次キャリアが無認可キャリアである、請求項７０に記載のコンピュータ可読媒体。
【請求項７２】
各キャリア上の各サブフレーム上で監視するためにそれぞれのＤＣＩメッセージのダウンリンク制御情報（ＤＣＩ）フォーマットまたはＤＣＩフォーマットサイズのセットのうちの少なくとも１つについての情報を受信することと、
前記情報に基づいて前記ＵＬ許可または前記ＤＬ許可のうちの少なくとも１つを監視することと
を行うコードをさらに備える、請求項７０に記載のコンピュータ可読媒体。
【請求項７３】
前記それぞれのＤＣＩメッセージの前記ＤＣＩフォーマットサイズの各々が送信モードに固有である、請求項７２に記載のコンピュータ可読媒体。
【請求項７４】
サブフレームごとに実施するためのブラインド復号の数に関する情報を受信することと、
前記ＤＬ許可また前記ＵＬ許可のうちの少なくとも１つを検出するためにブラインド復号の前記数に基づいてブラインド復号することと
を行うコードをさらに備える、請求項７０に記載のコンピュータ可読媒体。
【請求項７５】
前記１次キャリア上で受信された前記ＵＬ許可が複数の無認可キャリアに対応し、
前記ＵＬデータを送信するために、前記２次キャリアとして前記複数の無認可キャリアの中からキャリアを選択すること
を行うコードをさらに備える、請求項７０に記載のコンピュータ可読媒体。
【請求項７６】
前記複数の無認可キャリアの中から前記キャリアを選択する前記コードが、
前記複数の無認可キャリアに関連付けられたチャネルのチャネル可用性を決定することと、ここにおいて、チャネルのエネルギーがエネルギーしきい値よりも低いとき、前記チャネルが利用可能である、
前記チャネル可用性またはキャリア優先度のうちの少なくとも１つに基づいて、前記ＵＬデータの送信用に前記チャネルに関連付けられた前記キャリアを選択することと
を行うコードを備える、請求項７５に記載のコンピュータ可読媒体。
【請求項７７】
前記ＵＬ許可を受信することを監視するためにリソースブロックの数を調整する、サービング基地局からの構成情報を受信することと、
前記ＵＬ許可を受信することを監視するためにリソースブロックの前記数を調整する、前記受信された構成情報に基づいて前記ＵＬ許可を監視することと
を行うコードをさらに備える、請求項７０に記載のコンピュータ可読媒体。
【請求項７８】
基地局によるワイヤレス通信のためのコンピュータ実行可能コードを記憶するコンピュータ可読媒体であって、
２次キャリア用のダウンリンク（ＤＬ）許可と前記２次キャリア用のアップリンク（ＵＬ）許可とを送ることと、ここにおいて、前記ＤＬ許可が前記２次キャリア上で送信され、前記ＵＬ許可が１次キャリア上で送信され、前記ＤＬ許可および前記ＵＬ許可は、ＤＬ許可が前記２次キャリア上でセルフスケジューリングによってスケジュールされ、ＵＬ許可が前記１次キャリア上でクロスキャリアスケジューリングによってスケジュールされる構成を使用して、前記基地局から送信される、
前記２次キャリア上で前記ＤＬ許可を送った後に前記２次キャリア上でＤＬデータを送ることと、
前記１次キャリア上で前記ＵＬ許可を送った後に前記２次キャリア上でＵＬデータを受信することと
を行うコードを備え、前記１次キャリアは、前記２次キャリアと異なる、コンピュータ可読媒体。
【請求項７９】
前記１次キャリアが認可キャリアであり、前記２次キャリアが無認可キャリアである、請求項７８に記載のコンピュータ可読媒体。
【請求項８０】
各キャリア上の各サブフレーム上で監視するためにダウンリンク制御情報（ＤＣＩ）フォーマットまたはＤＣＩフォーマットサイズのセットについての情報を送ること
を行うコードをさらに備える、請求項７８に記載のコンピュータ可読媒体。
【請求項８１】
前記ＤＣＩフォーマットサイズの各々が送信モードに固有である、請求項８０に記載のコンピュータ可読媒体。
【請求項８２】
前記ＤＬ許可または前記ＵＬ許可のうちの少なくとも１つを検出するために、サブフレームごとにユーザ機器（ＵＥ）において実施されるべきブラインド復号の最大数を示す構成情報を送ること
を行うコードをさらに備える、請求項７８に記載のコンピュータ可読媒体。
【請求項８３】
時分割複信（ＴＤＤ）ＵＬ／ＤＬサブフレーム構成に基づいて、前記構成を選択することを行うコードをさらに備える、請求項７８に記載のコンピュータ可読媒体。
【請求項８４】
前記構成は、前記ＴＤＤ  ＵＬ／ＤＬサブフレーム構成がＵＬサブフレームよりも多くのＤＬサブフレームを含むときに使用される第１の構成に対応し、前記コンピュータ可読媒体は、
前記ＴＤＤ  ＵＬ／ＤＬサブフレーム構成がＤＬサブフレームよりも多くのＵＬサブフレームを含むとき、前記２次キャリア上でＤＬ許可を送ることと、前記２次キャリア上でＵＬ許可を送ることとを含む第２の構成を使用することを行うコードをさらに備える、
請求項８３に記載のコンピュータ可読媒体。
【請求項８５】
スケジューリングモードが、前記１次キャリアと前記２次キャリアとを含む利用可能なキャリアの各々について独立して構成される、請求項７８に記載のコンピュータ可読媒体。
【請求項８６】
前記スケジューリングモードが、前記利用可能なキャリアの各々における干渉またはチャネル可用性のうちの少なくとも１つに基づいて構成される、請求項８５に記載のコンピュータ可読媒体。
【請求項８７】
スケジューリングモードが、前記１次キャリアと前記２次キャリアとを含む利用可能なキャリアの各々について独立して構成され、前記ＵＬ許可および前記ＤＬ許可について独立して構成される、請求項７８に記載のコンピュータ可読媒体。
【請求項８８】
前記ＵＬデータを受信するための前記２次キャリアが、複数の無認可キャリアの中から選択されたキャリアであり、
前記１次キャリア上で送られた前記ＵＬ許可が、前記複数の無認可キャリアのために指定される、
請求項７８に記載のコンピュータ可読媒体。
【請求項８９】
前記基地局が、前記選択されたキャリアをブラインド検出するように構成される、請求項８８に記載のコンピュータ可読媒体。
【請求項９０】
前記ＵＬ許可をＵＥが監視するためのリソースの数を調整する構成情報を送ること
を行うコードをさらに備える、請求項７８に記載のコンピュータ可読媒体。
【請求項９１】
物理ダウンリンク制御チャネル（ＰＤＣＣＨ）内で監視するためのアグリゲーションレベルまたは候補の数を構成することと、
拡張ＰＤＣＣＨ（ＥＰＤＣＣＨ）のセットの数、ＥＰＤＣＣＨのセットごとのリソースブロック（ＲＢ）の数、ＥＰＤＣＣＨのタイプ、またはＥＰＤＣＣＨ監視用のアグリゲーションレベルもしくは候補の数のうちの少なくとも１つを構成することと
を行うコードをさらに備える、請求項９０に記載のコンピュータ可読媒体。
【請求項９２】
監視するためのリソースの前記数が、時分割複信（ＴＤＤ）サブフレーム構成またはアクティブな無認可キャリアの数のうちの少なくとも１つに依存する、請求項９０に記載のコンピュータ可読媒体。